(57)【要約】  少なくとも１つのプロセッサと、コンピュータープログラムコードを含む少なくとも１つのメモリとを備える装置であって、少なくとも１つのメモリ及びコンピュータープログラムコードは、少なくとも１つのプロセッサを用いて、当該装置と第２の装置との間の１つ以上の通信ビームの障害であるとの判断に応答して、１つ以上の通信ビームの障害の情報を含むメッセージを第３の装置に送信することによってビーム回復手順を開始することと、第３の装置にメッセージを送信することに応答してタイマーを始動することと、タイマーが満了する前に、ビーム障害肯定応答が第３の装置から受信されるか否かを判断することとを行うように構成される、装置。【選択図】図１
2021519558.tif 000002
【特許請求の範囲】
【請求項１】
少なくとも１つのプロセッサと、コンピュータープログラムコードを含む少なくとも１つのメモリとを備える装置であって、前記少なくとも１つのメモリ及び前記コンピュータープログラムコードは、前記少なくとも１つのプロセッサを用いて、
該装置と第２の装置との間の１つ以上の通信ビームの障害であるとの判断に応答して、前記１つ以上の通信ビームの障害の情報を含むメッセージを第３の装置に送信することによってビーム回復手順を開始することと、
前記第３の装置に前記メッセージを送信することに応答してタイマーを始動することと、
前記タイマーが満了する前に、ビーム障害肯定応答が前記第３の装置から受信されるか否かを判断することと、
を行うように構成される、装置。
【請求項２】
前記少なくとも１つのメモリ及び前記コンピュータープログラムコードは、前記少なくとも１つのプロセッサを用いて、前記第３の装置へ１つ以上の候補通信ビームの情報を前記装置に送信させるように構成される、請求項１に記載の装置。
【請求項３】
前記少なくとも１つのメモリ及び前記コンピュータープログラムコードは、前記少なくとも１つのプロセッサを用いて、前記１つ以上の通信ビームの障害の前記情報の送信と同時に前記１つ以上の候補通信ビームの情報を前記装置に送信させるように構成される、請求項１又は２に記載の装置。
【請求項４】
前記少なくとも１つのメモリ及び前記コンピュータープログラムコードは、前記少なくとも１つのプロセッサを用いて、前記タイマーが動作している間、前記１つ以上の候補通信ビームの情報を前記装置に送信させるように構成される、請求項１〜３のいずれか１項に記載の装置。
【請求項５】
前記少なくとも１つのメモリ及び前記コンピュータープログラムコードは、前記少なくとも１つのプロセッサを用いて、前記第３の装置へＮ個の候補ビームの情報を前記装置に送信させるように構成される、請求項２〜４のいずれか１項に記載の装置。
【請求項６】
前記少なくとも１つのメモリ及び前記コンピュータープログラムコードは、前記少なくとも１つのプロセッサを用いて、前記Ｎ個の候補ビームの全てが変化したとの判断に応答して、前記第３の装置へ更新された候補ビーム情報を前記装置に送信させるように構成される、請求項５に記載の装置。
【請求項７】
前記少なくとも１つのメモリ及び前記コンピュータープログラムコードは、前記少なくとも１つのプロセッサを用いて、前記Ｎ個の候補ビームの閾値数が変化したとの判断に応答して、前記第３の装置へ更新された候補ビーム情報を前記装置に送信させるように構成される、請求項５に記載の装置。
【請求項８】
前記少なくとも１つのメモリ及び前記コンピュータープログラムコードは、前記少なくとも１つのプロセッサを用いて、前記通信ビーム障害が発生したときに候補通信ビームがないとの判断に応答して、前記タイマーが動作している間に少なくとも１つの候補通信ビームを前記装置に探索させるように構成される、請求項１に記載の装置。
【請求項９】
前記少なくとも１つのメモリ及び前記コンピュータープログラムコードは、前記少なくとも１つのプロセッサを用いて、前記探索中に少なくとも１つの候補通信ビームを見つけたことに応答して、前記装置に前記タイマーを再始動させ、候補通信ビーム情報を送信させるように構成される、請求項８に記載の装置。
【請求項１０】
前記少なくとも１つのメモリ及び前記コンピュータープログラムコードは、前記少なくとも１つのプロセッサを用いて、ビーム障害肯定応答が前記第３の装置から受信されずに前記タイマーが満了したときに前記装置に前記第２の装置のセルを作動停止させるように構成される、請求項１〜９のいずれか１項に記載の装置。
【請求項１１】
前記少なくとも１つのメモリ及び前記コンピュータープログラムコードは、前記少なくとも１つのプロセッサを用いて、前記第３の装置が前記第２の装置のセルを作動停止させたとの判断に応答して前記装置に前記タイマーをリセットさせるように構成される、請求項１〜９のいずれか１項に記載の装置。
【請求項１２】
前記少なくとも１つのメモリ及び前記コンピュータープログラムコードは、前記少なくとも１つのプロセッサを用いて、セル作動停止タイマーが満了したときに前記装置に前記ビーム回復手順をキャンセルさせるように構成される、請求項１〜１１のいずれか１項に記載の装置。
【請求項１３】
前記少なくとも１つのメモリ及び前記コンピュータープログラムコードは、前記少なくとも１つのプロセッサを用いて、前記ビーム回復手順の前記開始に応答して前記装置にセル作動停止タイマーを停止させるように構成される、請求項１〜１１のいずれか１項に記載の装置。
【請求項１４】
前記少なくとも１つのメモリ及び前記コンピュータープログラムコードは、前記少なくとも１つのプロセッサを用いて、前記装置において受信されるスケジューリングコマンドの検出に応答して前記装置に前記セル作動停止タイマーを再始動させるように構成される、請求項１３に記載の装置。
【請求項１５】
前記装置はユーザー機器を含み、前記第２の装置は基地局を含み、前記第３の装置は、前記基地局を制御するネットワークノードを含む、請求項１〜１４のいずれか１項に記載の装置。
【請求項１６】
前記第２の装置は前記ユーザー機器のセカンダリーセルの基地局を含み、前記装置はプライマリーセルの基地局とも通信する、請求項１〜１５のいずれか１項に記載の装置。
【請求項１７】
少なくとも１つのプロセッサと、コンピュータープログラムコードを含む少なくとも１つのメモリとを備える装置であって、前記少なくとも１つのメモリ及び前記コンピュータープログラムコードは、前記少なくとも１つのプロセッサを用いて、
ユーザー機器と基地局との間の１つ以上の通信ビームの通信ビーム障害の情報を前記ユーザー機器から受信することと、
前記通信ビーム障害の情報の受信の肯定応答を前記ユーザー機器に送信することと、
を行うように構成される、装置。
【請求項１８】
前記少なくとも１つのメモリ及び前記コンピュータープログラムコードは、前記少なくとも１つのプロセッサを用いて、１つ以上の候補ビームの情報を前記装置に受信させるように構成される、請求項１７に記載の装置。
【請求項１９】
前記少なくとも１つのメモリ及び前記コンピュータープログラムコードは、前記少なくとも１つのプロセッサを用いて、前記通信ビーム障害の前記情報の受信と同時に前記１つ以上の候補通信ビームの情報を前記装置に受信させるように構成される、請求項１８に記載の装置。
【請求項２０】
前記少なくとも１つのメモリ及び前記コンピュータープログラムコードは、前記少なくとも１つのプロセッサを用いて、前記１つ以上の候補ビームの情報を受信した後に、前記ユーザー機器から更新された候補ビーム情報を前記装置に受信させるように構成される、請求項１８又は１９に記載の装置。
【請求項２１】
前記少なくとも１つのメモリ及び前記コンピュータープログラムコードは、前記少なくとも１つのプロセッサを用いて、前記装置に前記基地局のセルを作動停止させるように構成される、請求項１７〜２０のいずれか１項に記載の装置。
【請求項２２】
装置と第２の装置との間の１つ以上の通信ビームの障害であるとの判断に応答して、前記１つ以上の通信ビームの障害の情報を含むメッセージを第３の装置に送信することによってビーム回復手順を開始することと、
前記第３の装置にメッセージを送信することに応答してタイマーを始動することと、
前記タイマーが満了する前に、ビーム障害肯定応答が前記第３の装置から受信されるか否かを判断することと、
を含む、方法。
【請求項２３】
少なくとも、
装置と第２の装置との間の１つ以上の通信ビームの障害であるとの判断に応答して、前記１つ以上の通信ビームの障害の情報を含むメッセージを第３の装置に送信することによってビーム回復手順を開始することと、
前記第３の装置にメッセージを送信することに応答してタイマーを始動することと、
前記タイマーが満了する前に、ビーム障害肯定応答が前記第３の装置から受信されるか否かを判断することと、
を装置に実行させる命令を含む、コンピュータープログラム。
【請求項２４】
ユーザー機器と基地局との間の１つ以上の通信ビームの通信ビーム障害の情報を前記ユーザー機器から受信することと、
前記通信ビーム障害の情報の受信の肯定応答を前記ユーザー機器に送信することと、
を含む、方法。
【請求項２５】
少なくとも、
ユーザー機器と基地局との間の１つ以上の通信ビームの通信ビーム障害の情報を前記ユーザー機器から受信することと、
前記通信ビーム障害の情報の受信の肯定応答を前記ユーザー機器に送信することと、
を装置に実行させる命令を含む、コンピュータープログラム。
【発明の詳細な説明】
【技術分野】
【０００１】
本開示は、通信に関し、より詳細には、無線通信システムにおける装置、方法及びコンピュータープログラムに関する。より詳細には、本開示は、無線通信システムにおけるビーム障害に関する。
【背景技術】
【０００２】
通信システムは、ユーザー端末、機械的端末、基地局及び／又は他のノード等の２つ以上のデバイスの間の通信を、それらの通信デバイスの間で情報を搬送する通信チャネルを提供することによって可能にする設備として見ることができる。通信システムは、例えば、通信ネットワーク及び１つ以上の互換性のある通信デバイスによって提供することができる。
【０００３】
無線システムでは、通信の少なくとも一部は、無線インターフェースを介して行われる。無線システムはセルに分割することができ、そのため、セルラーシステムと呼ばれることが多い。基地局は、少なくとも１つのセルを提供することができる。
【０００４】
ユーザーは、基地局と通信することが可能な適切な通信デバイス又は端末によって通信システムにアクセスすることができる。ユーザーの通信デバイスは、ユーザー機器（ＵＥ：user equipment）と呼ばれることが多い。
【０００５】
通信システム及び関連したデバイスは、通常、システムに関連した様々なエンティティが許可された動作及びそれを達成すべき方法を規定した所与の規格又は仕様に従って動作する。
【発明の概要】
【０００６】
第１の態様では、少なくとも１つのプロセッサと、コンピュータープログラムコードを含む少なくとも１つのメモリとを備える装置が提供され、前記少なくとも１つのメモリ及び前記コンピュータープログラムコードは、前記少なくとも１つのプロセッサを用いて、該装置と第２の装置との間の１つ以上の通信ビームの障害であるとの判断に応答して、前記１つ以上の通信ビームの障害の情報を含むメッセージを第３の装置に送信することによってビーム回復手順を開始することと、前記第３の装置に前記メッセージを送信することに応答してタイマーを始動することと、前記タイマーが満了する前に、ビーム障害肯定応答が前記第３の装置から受信されるか否かを判断することとを行うように構成される。
【０００７】
一例によれば、前記少なくとも１つのメモリ及び前記コンピュータープログラムコードは、前記少なくとも１つのプロセッサを用いて、前記第３の装置へ１つ以上の候補通信ビームの情報を前記装置に送信させるように構成される。
【０００８】
一例によれば、前記少なくとも１つのメモリ及び前記コンピュータープログラムコードは、前記少なくとも１つのプロセッサを用いて、前記１つ以上の通信ビームの障害の前記情報の送信と同時に前記１つ以上の候補通信ビームの情報を前記装置に送信させるように構成される。
【０００９】
一例によれば、前記少なくとも１つのメモリ及び前記コンピュータープログラムコードは、前記少なくとも１つのプロセッサを用いて、前記タイマーが動作している間、前記１つ以上の候補通信ビームの情報を前記装置に送信させるように構成される。
【００１０】
一例によれば、前記少なくとも１つのメモリ及び前記コンピュータープログラムコードは、前記少なくとも１つのプロセッサを用いて、前記第３の装置へＮ個の候補ビームの情報を前記装置に送信させるように構成される。
【００１１】
一例によれば、前記少なくとも１つのメモリ及び前記コンピュータープログラムコードは、前記少なくとも１つのプロセッサを用いて、前記Ｎ個の候補ビームの全てが変化したとの判断に応答して、前記第３の装置へ更新された候補ビーム情報を前記装置に送信させるように構成される。
【００１２】
一例によれば、前記少なくとも１つのメモリ及び前記コンピュータープログラムコードは、前記少なくとも１つのプロセッサを用いて、前記Ｎ個の候補ビームの閾値数が変化したとの判断に応答して、前記第３の装置へ更新された候補ビーム情報を前記装置に送信させるように構成される。
【００１３】
一例によれば、前記少なくとも１つのメモリ及び前記コンピュータープログラムコードは、前記少なくとも１つのプロセッサを用いて、前記通信ビーム障害が発生したときに候補通信ビームがないとの判断に応答して、前記タイマーが動作している間に少なくとも１つの候補通信ビームを前記装置に探索させるように構成される。
【００１４】
一例によれば、前記少なくとも１つのメモリ及び前記コンピュータープログラムコードは、前記少なくとも１つのプロセッサを用いて、前記探索中に少なくとも１つの候補通信ビームを見つけたことに応答して、前記装置に前記タイマーを再始動させ、候補通信ビーム情報を送信させるように構成される。
【００１５】
一例によれば、前記少なくとも１つのメモリ及び前記コンピュータープログラムコードは、前記少なくとも１つのプロセッサを用いて、ビーム障害肯定応答が前記第３の装置から受信されずに前記タイマーが満了したときに前記装置に前記第２の装置のセルを作動停止させるように構成される。
【００１６】
一例によれば、前記少なくとも１つのメモリ及び前記コンピュータープログラムコードは、前記少なくとも１つのプロセッサを用いて、前記第３の装置が前記第２の装置のセルを作動停止させたとの判断に応答して前記装置に前記タイマーをリセットさせるように構成される。
【００１７】
一例によれば、前記少なくとも１つのメモリ及び前記コンピュータープログラムコードは、前記少なくとも１つのプロセッサを用いて、セル作動停止タイマーが満了したときに前記装置に前記ビーム回復手順をキャンセルさせるように構成される。
【００１８】
一例によれば、前記少なくとも１つのメモリ及び前記コンピュータープログラムコードは、前記少なくとも１つのプロセッサを用いて、前記ビーム回復手順の前記開始に応答して前記装置にセル作動停止タイマーを停止させるように構成される。
【００１９】
一例によれば、前記少なくとも１つのメモリ及び前記コンピュータープログラムコードは、前記少なくとも１つのプロセッサを用いて、前記装置において受信されるスケジューリングコマンドの検出に応答して前記装置に前記セル作動停止タイマーを再始動させるように構成される。
【００２０】
一例によれば、前記装置はユーザー機器を含み、前記第２の装置は基地局を含み、前記第３の装置は、前記基地局を制御するネットワークノードを含む。
【００２１】
一例によれば、前記第２の装置は前記ユーザー機器のセカンダリーセルの基地局を含み、前記装置はプライマリーセルの基地局とも通信する。
【００２２】
第２の態様によれば、少なくとも１つのプロセッサと、コンピュータープログラムコードを含む少なくとも１つのメモリとを備える装置が提供され、前記少なくとも１つのメモリ及び前記コンピュータープログラムコードは、前記少なくとも１つのプロセッサを用いて、ユーザー機器と基地局との間の１つ以上の通信ビームの通信ビーム障害の情報を前記ユーザー機器から受信することと、前記通信ビーム障害の情報の受信の肯定応答を前記ユーザー機器に送信することとを行うように構成される。
【００２３】
一例によれば、前記少なくとも１つのメモリ及び前記コンピュータープログラムコードは、前記少なくとも１つのプロセッサを用いて、１つ以上の候補ビームの情報を前記装置に受信させるように構成される。
【００２４】
一例によれば、前記少なくとも１つのメモリ及び前記コンピュータープログラムコードは、前記少なくとも１つのプロセッサを用いて、前記通信ビーム障害の前記情報の受信と同時に前記１つ以上の候補通信ビームの情報を前記装置に受信させるように構成される。
【００２５】
一例によれば、前記少なくとも１つのメモリ及び前記コンピュータープログラムコードは、前記少なくとも１つのプロセッサを用いて、前記１つ以上の候補ビームの情報を受信した後に、前記ユーザー機器から更新された候補ビーム情報を前記装置に受信させるように構成される。
【００２６】
一例によれば、前記少なくとも１つのメモリ及び前記コンピュータープログラムコードは、前記少なくとも１つのプロセッサを用いて、前記装置に前記基地局のセルを作動停止させるように構成される。
【００２７】
第３の態様によれば、装置と第２の装置との間の１つ以上の通信ビームの障害であるとの判断に応答して、前記１つ以上の通信ビームの障害の情報を含むメッセージを第３の装置に送信することによってビーム回復手順を開始することと、前記第３の装置にメッセージを送信することに応答してタイマーを始動することと、前記タイマーが満了する前に、ビーム障害肯定応答が前記第３の装置から受信されるか否かを判断することとを含む方法が提供される。
【００２８】
一例によれば、前記方法は、１つ以上の候補通信ビームの情報を前記第３の装置に送信することを含む。
【００２９】
一例によれば、前記方法は、前記１つ以上の候補通信ビームの情報を、前記１つ以上の通信ビームの障害の前記情報を送信するのと同時に送信することを含む。
【００３０】
一例によれば、前記方法は、前記タイマーが動作している間に、前記１つ以上の候補通信ビームの情報を送信することを含む。
【００３１】
一例によれば、前記方法は、Ｎ個の候補ビームの情報を前記第３の装置に送信することを含む。
【００３２】
一例によれば、前記方法は、前記Ｎ個の候補ビームの全てが変化したとの判断に応答して更新された候補ビーム情報を前記第３の装置に送信することを含む。
【００３３】
一例によれば、前記方法は、前記Ｎ個の候補ビームの閾値数が変化したとの判断に応答して、更新された候補ビーム情報を前記第３の装置に送信することを含む。
【００３４】
一例によれば、前記方法は、前記通信ビーム障害が発生したときに候補通信ビームがないとの判断に応答して、前記タイマーが動作している間に少なくとも１つの候補通信ビームを探索することを含む。
【００３５】
一例によれば、方法は、前記探索中に少なくとも１つの候補通信ビームを見つけたことに応答して、前記タイマーを再始動し、候補通信ビーム情報を送信することを含む。
【００３６】
一例によれば、前記方法は、ビーム障害肯定応答が前記第３の装置から受信されずに前記タイマーが満了したときに前記第２の装置のセルを作動停止することを含む。
【００３７】
一例によれば、前記方法は、前記第３の装置が前記第２の装置のセルを作動停止したとの判断に応答して前記タイマーをリセットすることを含む。
【００３８】
一例によれば、前記方法は、セル作動停止タイマーが満了したときに前記ビーム回復手順をキャンセルすることを含む。
【００３９】
一例によれば、前記方法は、前記ビーム回復手順の前記開始に応答してセル作動停止タイマーを停止することを含む。
【００４０】
一例によれば、前記方法は、前記装置において受信されるスケジューリングコマンドの検出に応答して前記セル作動停止タイマーを再始動することを含む。
【００４１】
一例によれば、前記装置はユーザー機器を含み、前記第２の装置は基地局を含み、前記第３の装置は、前記基地局を制御するネットワークノードを含む。
【００４２】
一例によれば、前記第２の装置は前記ユーザー機器のセカンダリーセルの基地局を含み、前記装置はプライマリーセルの基地局とも通信する。
【００４３】
第４の態様によれば、少なくとも、装置と第２の装置との間の１つ以上の通信ビームの障害であるとの判断に応答して、前記１つ以上の通信ビームの障害の情報を含むメッセージを第３の装置に送信することによってビーム回復手順を開始することと、前記第３の装置にメッセージを送信することに応答してタイマーを始動することと、前記タイマーが満了する前に、ビーム障害肯定応答が前記第３の装置から受信されるか否かを判断することとを装置に実行させる命令を含むコンピュータープログラムが提供される。
【００４４】
第５の態様によれば、少なくとも次のこと、すなわち、装置と第２の装置との間の１つ以上の通信ビームの障害であるとの判断に応答して、前記１つ以上の通信ビームの障害の情報を含むメッセージを第３の装置に送信することによってビーム回復手順を開始することと、前記第３の装置にメッセージを送信することに応答してタイマーを始動することと、前記タイマーが満了する前に、ビーム障害肯定応答が前記第３の装置から受信されるか否かを判断することとを装置に実行させるプログラム命令を含む非一時的コンピューター可読媒体が提供される。
【００４５】
第６の態様によれば、ユーザー機器と基地局との間の１つ以上の通信ビームの通信ビーム障害の情報を前記ユーザー機器から受信することと、前記通信ビーム障害の情報の受信の肯定応答を前記ユーザー機器に送信することとを含む方法が提供される。
【００４６】
一例によれば、前記方法は、１つ以上の候補ビームの情報を受信することを含む。
【００４７】
一例によれば、前記方法は、前記通信ビーム障害の前記情報の受信と同時に前記１つ以上の候補通信ビームの情報を受信することを含む。
【００４８】
一例によれば、前記方法は、前記１つ以上の候補ビームの情報を受信した後に、前記ユーザー機器から更新された候補ビーム情報を受信することを含む。
【００４９】
一例によれば、前記方法は、前記基地局のセルを作動停止することを含む。
【００５０】
第７の態様によれば、少なくとも、ユーザー機器と基地局との間の１つ以上の通信ビームの通信ビーム障害の情報を前記ユーザー機器から受信することと、前記通信ビーム障害の情報の受信の肯定応答を前記ユーザー機器に送信することとを装置に実行させる命令を含むコンピュータープログラムが提供される。
【００５１】
第８の態様によれば、少なくとも次のこと、すなわち、ユーザー機器と基地局との間の１つ以上の通信ビームの通信ビーム障害の情報を前記ユーザー機器から受信することと、前記通信ビーム障害の情報の受信の肯定応答を前記ユーザー機器に送信することとを装置に実行させるプログラム命令を含む非一時的コンピューター可読媒体が提供される。
【００５２】
第９の態様によれば、装置であって、該装置と第２の装置との間の１つ以上の通信ビームの障害であるとの判断に応答して、前記１つ以上の通信ビームの障害の情報を含むメッセージを第３の装置に送信することによってビーム回復手順を開始する手段と、前記第３の装置に前記メッセージを送信することに応答してタイマーを始動する手段と、前記タイマーが満了する前に、ビーム障害肯定応答が前記第３の装置から受信されるか否かを判断する手段とを備える、装置が提供される。
【００５３】
一例によれば、前記装置は、１つ以上の候補通信ビームの情報を前記第３の装置に送信する手段を備える。
【００５４】
一例によれば、前記装置は、前記１つ以上の候補通信ビームの情報を、前記１つ以上の通信ビームの障害の前記情報を送信するのと同時に送信する手段を備える。
【００５５】
一例によれば、前記装置は、前記タイマーが動作している間に、前記１つ以上の候補通信ビームの情報を送信する手段を備える。
【００５６】
一例によれば、前記装置は、Ｎ個の候補ビームの情報を前記第３の装置に送信する手段を備える。
【００５７】
一例によれば、前記装置は、前記Ｎ個の候補ビームの全てが変化したとの判断に応答して更新された候補ビーム情報を前記第３の装置に送信する手段を備える。
【００５８】
一例によれば、前記装置は、前記Ｎ個の候補ビームの閾値数が変化したとの判断に応答して、更新された候補ビーム情報を前記第３の装置に送信する手段を備える。
【００５９】
一例によれば、前記装置は、前記通信ビーム障害が発生したときに候補通信ビームがないとの判断に応答して、前記タイマーが動作している間に少なくとも１つの候補通信ビームを探索する手段を備える。
【００６０】
一例によれば、前記装置は、前記探索中に少なくとも１つの候補通信ビームを見つけたことに応答して、前記タイマーを再始動し、候補通信ビーム情報を送信する手段を備える。
【００６１】
一例によれば、前記装置は、ビーム障害肯定応答が前記第３の装置から受信されずに前記タイマーが満了したときに前記第２の装置のセルを作動停止する手段を備える。
【００６２】
一例によれば、前記装置は、前記第３の装置が前記第２の装置のセルを作動停止したとの判断に応答して前記タイマーをリセットする手段を備える。
【００６３】
一例によれば、前記装置は、セル作動停止タイマーが満了したときに前記ビーム回復手順をキャンセルする手段を備える。
【００６４】
一例によれば、前記装置は、前記ビーム回復手順の前記開始に応答してセル作動停止タイマーを停止する手段を備える。
【００６５】
一例によれば、前記装置は、前記装置において受信されるスケジューリングコマンドの検出に応答して前記セル作動停止タイマーを再始動する手段を備える。
【００６６】
一例によれば、前記装置はユーザー機器を含み、前記第２の装置は基地局を含み、前記第３の装置は、前記基地局を制御するネットワークノードを含む。
【００６７】
一例によれば、前記第２の装置は前記ユーザー機器のセカンダリーセルの基地局を含み、前記装置はプライマリーセルの基地局とも通信する。
【００６８】
第１０の態様によれば、ユーザー機器と基地局との間の１つ以上の通信ビームの通信ビーム障害の情報を前記ユーザー機器から受信する手段と、前記通信ビーム障害の情報の受信の肯定応答を前記ユーザー機器に送信する手段とを備える装置が提供される。
【００６９】
一例によれば、前記装置は、１つ以上の候補ビームの情報を受信する手段を備える。
【００７０】
一例によれば、前記装置は、前記通信ビーム障害の前記情報の受信と同時に前記１つ以上の候補通信ビームの情報を受信する手段を備える。
【００７１】
一例によれば、前記装置は、前記１つ以上の候補ビームの情報を受信した後に、前記ユーザー機器から更新された候補ビーム情報を受信する手段を備える。
【００７２】
一例によれば、前記装置は、前記基地局のセルを作動停止する手段を備える。
【００７３】
次に、以下の例及び添付図面を参照して幾つかの実施形態を単なる例として更に詳細に説明する。
【図面の簡単な説明】
【００７４】
【図１】無線通信システムの概略例を示す図である。
【図２】通信デバイスの一例を示す図である。
【図３】制御装置の一例を示す図である。
【図４】第１の基地局及び第２の基地局と通信するユーザー機器を概略的に示す図である。
【図５Ａ】ビーム障害検出構成を概略的に示す図である。
【図５Ｂ】ビーム障害検出構成を概略的に示す図である。
【図６】一例による方法のフローチャートである。
【図７】一例による方法のフローチャートである。
【図８】一例による方法のフローチャートである。
【発明を実施するための形態】
【００７５】
例を詳細に説明する前に、説明する例の基礎をなす技術の理解を助けるために、無線通信システム及びモバイル通信デバイスの或る特定の一般原理を図１及び図２を参照して簡潔に説明する。
【００７６】
図１に示すような無線通信システム１００では、無線通信デバイス、例えば、ユーザー機器（ＵＥ）又はＭＴＣデバイス１０２、１０４、１０５には、少なくとも１つの基地局又は同様の無線送信及び／又は無線受信を行う無線インフラストラクチャノード又は無線ポイントを介して無線アクセスが提供される。そのようなノードは、例えば、基地局若しくはｅＮｏｄｅＢ（ｅＮＢ）とすることもできるし、５Ｇシステムでは、次世代ＮｏｄｅＢ（ｇＮＢ）とすることもできるし、他の無線インフラストラクチャノードとすることもできる。これらのノードは、一般に基地局と呼ばれる。これらの基地局は、通常、その動作及び当該基地局と通信するモバイル通信デバイスの管理を可能にするように、少なくとも１つの適切なコントローラー装置によって制御される。コントローラー装置は、無線アクセスネットワーク（例えば、無線通信システム１００）又はコアネットワーク（ＣＮ：core network）（図示せず）に配置することができ、１つの中央装置として実施することもできるし、その機能を幾つかの装置にわたって分散させることもできる。コントローラー装置は、基地局の一部とすることができ、及び／又は、無線ネットワークコントローラー等の別個のエンティティによって提供することができる。図１には、それぞれのマクロレベル基地局１０６及び１０７を制御する制御装置１０８及び１０９が示されている。幾つかのシステムでは、制御装置は、上記に加えて又は上記に代えて、無線ネットワークコントローラー内に設けることができる。無線アクセスシステムの他の例としては、５Ｇ若しくは新無線、無線ローカルエリアネットワーク（ＷＬＡＮ：wireless local area network）及び／又はＷｉＭａｘ（Worldwide Interoperability for Microwave Access（マイクロ波アクセスのための世界的な相互運用性））等の技術に基づくシステムの基地局によって提供されるものがある。基地局は、セル全体又は同様の無線サービスエリア全体のカバレッジを提供することができる。
【００７７】
図１では、基地局１０６及び１０７は、ゲートウェイ１１２を介してより広い通信ネットワーク１１３に接続されたものとして示されている。別のネットワークに接続するために、更なるゲートウェイ機能を設けることができる。
【００７８】
より小さな基地局１１６、１１８及び１２０も、例えば、別個のゲートウェイ機能によって及び／又はマクロレベル局のコントローラーを介してネットワーク１１３に接続することができる。基地局１１６、１１８及び１２０は、ピコレベル又はフェムトレベルの基地局等とすることができる。この例では、局１１６及び１１８はゲートウェイ１１１を介して接続される一方、局１２０はコントローラー装置１０８を介して接続する。幾つかの実施形態では、より小さな局は設けられない場合がある。
【００７９】
図１には、ビーム１１９がＵＥ１０４と基地局１２０との間に概略的に示されている。ビームは、リンク、例えば、無線リンク又は通信リンクとも呼ばれる場合がある。ビーム１１９はチャネルを含むことができる。例えば、ビーム１１９は、物理ダウンリンク制御チャネル（ＰＤＣＣＨ：physical downlink control channel）を送信するのに用いられるアンテナ放射パターンを含むことができる。
【００８０】
次に、通信デバイス２００の概略部分断面図を示す図２を参照して、可能な無線通信デバイスをより詳細に説明する。そのような通信デバイスは、多くの場合、ユーザー機器（ＵＥ）又はユーザー端末と呼ばれる。適切なモバイル通信デバイスは、無線信号を送信及び受信することが可能な任意のデバイスによって提供することができる。非限定的な例として、モバイル局（ＭＳ：mobile station）又はモバイルデバイスがあり、モバイルデバイスには、モバイルフォン若しくは「スマートフォン」として知られているもの、無線インターフェースカード若しくは他の無線インターフェース設備（例えば、ＵＳＢドングル）が設けられたコンピューター、無線通信能力が提供されたパーソナルデータアシスタント（ＰＤＡ：personal data assistant）若しくはタブレット、又はこれらのもの若しくは類似のものの任意の組み合わせ等がある。モバイル通信デバイスは、例えば、音声、電子メール（ｅｍａｉｌ）、テキストメッセージ、マルチメディア等の通信を搬送するデータの通信を提供することができる。ユーザーは、したがって、自身の通信デバイスを介して非常に多くのサービスの供与及び提供を受けることができる。これらのサービスの非限定的な例として、２方向通話若しくは多方向通話、データ通信サービス若しくはマルチメディアサービス、又はインターネット等のデータ通信ネットワークシステムへの単純なアクセスがある。ユーザーには、ブロードキャストデータ又はマルチキャストデータも提供することができる。コンテンツの非限定的な例として、ダウンロード、テレビ番組及びラジオ番組、ビデオ、広告、様々なアラート、並びに他の情報がある。
【００８１】
無線通信デバイスは、例えば、モバイルデバイス、すなわち、特定のロケーションに固定されていないデバイスとすることもできるし、静止したデバイスとすることもできる。無線デバイスは、通信用のヒューマンインタラクションを必要とする場合もあるし、通信用のヒューマンインタラクションを必要としない場合もある。本教示において、用語「ＵＥ」又は「ユーザー」は、任意のタイプの無線通信デバイスを指すのに用いられる。
【００８２】
無線デバイス２００は、無線信号を受信する適切な装置を介して空中若しくは無線インターフェース２０７で信号を受信することができ、無線信号を送信する適切な装置を介して信号を送信することができる。図２には、送受信機装置がブロック２０６によって概略的に示されている。送受信機装置２０６は、例えば、無線部分及び関連したアンテナ機構によって提供することができる。アンテナ機構は、無線デバイスの内部又は外部に配置することができる。
【００８３】
無線デバイスには、通常、少なくとも１つのデータ処理エンティティ２０１と、少なくとも１つのメモリ２０２と、当該無線デバイスが実行するように設計されたタスクの、ソフトウェア及びハードウェアの支援を受けた実行に用いられる他の可能な構成要素２０３とが設けられる。これらのタスクには、アクセスシステム及び他の通信デバイスへのアクセスの制御及びそれらとの通信が含まれる。データ処理装置、記憶装置及び他の関連のある制御装置は、適切な回路基板上及び／又はチップセット内に設けることができる。この特徴部は参照符号２０４によって示されている。ユーザーは、キーパッド２０５、音声コマンド、タッチスクリーン若しくはタッチパッド、又はそれらのもの若しくは同様のものの組み合わせ等の適したユーザーインターフェースによって無線デバイスの動作を制御することができる。ディスプレイ２０８、スピーカー及びマイクロフォンも設けることができる。さらに、無線通信デバイスは、他のデバイスへの、及び／又は、外部アクセサリー、例えば、ハンズフリー機器を当該無線通信デバイスに接続するための適切なコネクター（有線又は無線のいずれか）を備えることができる。通信デバイス１０２、１０４、１０５は、様々なアクセス技法に基づいて通信システムにアクセスすることができる。
【００８４】
図３は、例えば、ＲＡＮノード等のアクセスシステムの局に結合された、及び／又は、そのような局を制御するための通信システムの制御装置の一例を示している。このような局は、例えば、基地局、ｇＮＢ、ＭＭＥ若しくはＳ−ＧＷ等のクラウドアーキテクチャの中央ユニット若しくはコアネットワークのノード、スペクトル管理エンティティ等のスケジューリングエンティティ、又はサーバー若しくはホストである。制御装置は、コアネットワーク又はＲＡＮのノード又はモジュールと一体化することもできるし、それらのノード又はモジュールの外部のものとすることもできる。幾つかの実施形態では、基地局は、別個の制御装置ユニット又は制御装置モジュールを備える。他の実施形態では、制御装置は、無線ネットワークコントローラー又はスペクトルコントローラー等の別のネットワーク要素とすることができる。幾つかの実施形態では、各基地局は、そのような制御装置及び無線ネットワークコントローラー内に設けられた制御装置を有することができる。制御装置３００は、システムのサービスエリア内の通信に対する制御を提供するように構成することができる。制御装置３００は、少なくとも１つのメモリ３０１、少なくとも１つのデータ処理ユニット３０２、３０３及び入力／出力インターフェース３０４を備える。このインターフェースを介して、制御装置は、基地局の受信機及び送信機に結合することができる。この受信機及び／又は送信機は、無線フロントエンド又はリモート無線ヘッドとして実施することができる。例えば、制御装置３００又はプロセッサ２０１は、制御機能を提供する適切なソフトウェアコードを実行するように構成することができる。
【００８５】
ｇＮＢの論理アーキテクチャは、中央ユニット（ＣＵ：central unit）及び分散ユニット（ＤＵ：distributed unit）の分割（ＣＵ／ＤＵ分割）を含むことができる。ＣＵは、ユーザーデータの転送、移動度制御、無線アクセスネットワーク共有、測位、セッション管理等のｇＮＢ機能を含むことができる論理ノードである。他の機能をＤＵに割り当てることができる。幾つかの例では、ＤＵはＣＵによって制御される。ＣＵとＤＵとの間で機能を分割する方法は、実施態様間で変化し得る。
【００８６】
３ＧＰＰでは現在、ビーム（又はリンク）障害回復手順が指定されている。ビーム回復は、リンク再構成と呼ばれる場合もある。ビーム回復の目的は、１つ又は複数のサービング制御チャネル（ＰＤＣＣＨ）リンクがいつ障害状態にあるとみなされるのか及びいつリンクを回復したとみなされるのかを検出することである。リンクを回復するために、ＵＥは、障害を示すシグナリングをネットワークに向けて開始することができる。可能性のある新たなリンク（ビーム）は、候補リンク（候補ビーム）と呼ばれる場合がある。ＵＥから受信されたビーム障害回復要求に対する応答として、ネットワークは、新たなＰＤＣＣＨリンクを用いてＵＥを構成することができる。ビーム回復は、３ＧＰＰによって仕様３８．２１３及び３８．３２１に指定されている。
【００８７】
ビーム障害に関連し得る幾つかの態様及び術語を以下で論述する。
【００８８】
ビーム障害検出ＲＳ（reference signals（基準信号））
ネットワークは、リンクの品質を監視する基準信号のセットを用いてＵＥを構成する。このセットは、「ｑ０」又は「ビーム障害検出ＲＳ」若しくはＢＦＤ−ＲＳと呼ばれる場合がある。通常、ＢＦＤ−ＲＳ（複数の場合もある）は、ＰＤＣＣＨ  ＤＭＲＳ（demodulation reference signal（復調基準信号））と空間的にＱＣＬ（quasi co-located（疑似コロケーション））されるように構成されている。すなわち、これらの基準信号は、ＰＤＣＣＨを送信するのに用いられるダウンリンクビームに対応する。ダウンリンクビームは、ＳＳ／ＰＢＣＨ（synchronization sequences/physical broadcast channel（同期シーケンス／物理ブロードキャストチャネル））ブロックインデックス又はＣＳＩ−ＲＳ（channel state information reference signal（チャネル状態情報基準信号））リソースインデックスのいずれかの基準信号によって識別することができる。ネットワークは、ＲＲＣ（radio resource control（無線リソース制御））シグナリングを用いてＢＦＤ−ＲＳリストを構成することもできるし、ＲＲＣシグナリング及びＭＡＣ  ＣＥシグナリングを組み合わせたものを用いてＢＦＤ−ＲＳリストを用いる方法を定めることも可能であり得る。この場合、ＭＡＣ  ＣＥは、ＲＲＣ構成されたリソースのセット又はサブセットをＢＦＤ−ＲＳとして作動するのに用いることができる。
【００８９】
ＵＥは、ＢＦＤ−ＲＳリストを用いて明示的に構成されないとき、ＢＦＤ−ＲＳリソースを暗黙的に決定することができる。例えば、ＵＥは、ＣＯＲＥＳＥＴごとに、構成／表示／作動されたＰＤＣＣＨ−ＴＣＩ（transmission configuration indication（送信構成表示））状態に基づいてＢＦＤ−ＲＳリソース、すなわち、ＰＤＣＣＨ  ＤＭＲＳと空間的にＱＣＬされたダウンリンク基準信号（ＣＳＩ−ＲＳ、ＳＳ／ＰＢＣＨブロック）、換言すれば、ＰＤＣＣＨビームを暗黙的に決定することができる。作動されたＴＣＩ状態（ＰＤＣＣＨを監視するためにＵＥによって用いられる）は、ビーム障害検出用と考えられるが、ＰＤＣＣＨの全てのＴＣＩ状態に基づいて障害を判断することは本開示によって除外されない。
【００９０】
ビーム障害の宣言
物理レイヤは、無線リンクの品質を（ｑ０のセット内のＢＦＤ−ＲＳに基づいて）周期的に評価することができる。評価は、ＢＦＤ−ＲＳごとに行うことができる。ビーム障害検出セット内の各ＢＦＤ−ＲＳの無線リンク状態が障害状態にあるとみなされるとき、例えば、ＲＳを用いて推定された仮想ＰＤＣＣＨ  ＢＬＥＲ（block error rate（ブロックエラーレート））が、構成された閾値を越えているとき、ビーム障害インスタンス（ＢＦＩ：beam failure instance）表示が上位レイヤ（ＭＡＣ）に提供される。ＢＬＥＲ閾値の１つの例は、無線リンク監視ＯＯＳ／Ｑｏｕｔ＝１０％に用いられる同期外れ閾値とすることができる。評価及び表示は、周期的に行うことができる。少なくとも１つのＢＦＤ−ＲＳが障害状態にない場合には、表示は上位レイヤに提供されない。
【００９１】
ＭＡＣレイヤは、ＰＨＹ（物理）レイヤからのＢＦＩ表示をカウントするカウンターを実装することができ、ＢＦＩカウンターが最大値又は閾値（ネットワークによって構成することができる）に達した場合には、ビーム障害を宣言することができる。このカウンターは、タイマーによって又はタイマーを用いて管理又は監視されるように構成することができる。例えば、ＭＡＣが下位レイヤからＢＦＩ表示を受信するごとに、タイマーは（再）始動される。タイマーが満了すると、ＢＦＩカウンターはリセットされる（カウンター値が０に設定される）。これに代えて又はこれに加えて、タイマーは、ビーム障害回復手順を管理するように構成することもできる。タイマーは、ビーム障害を検出すると始動することができ、タイマーが満了すると、ＵＥはビーム障害回復が不成功であると宣言する。タイマーが動作している間、ＵＥはリンクの回復を試行することができる。
【００９２】
候補ＲＳ（ビーム）リスト
ネットワークは、専用信号を用いて示すことができる回復のための候補ＲＳのリストをＵＥに提供することができる。例えば、候補ビームＬ１−ＲＳＲＰ（reference signal received power（基準信号受信電力））測定値をＭＡＣレイヤに提供することができ、ＭＡＣレイヤは、新たな候補の選択を行い、新たな候補をネットワークに示すアップリンクリソースを決定することができる。ネットワークは、候補ビーム固有の専用シグナリングリソース（例えば、物理ランダムアクセスチャネル（ＰＲＡＣＨ：physical random access channel）リソースのセット）を用いてＵＥを構成することができる。例えば、ＵＥは、プリアンブルを送信することによって新たな候補を示すことができる。
【００９３】
ビーム障害回復要求
ビーム障害回復手順は、ＵＥがビーム障害を宣言し、ＵＥがＬ１（レイヤ１）測定値（例えば、Ｌ１−ＲＳＲＰ）に基づいて単数又は複数の新たな候補ビームを検出した場合に開始することができる。専用信号は、候補−ビーム−ＲＳ−リスト内の候補ＲＳごとに構成することができる。新たな候補（Ｌ１−ＲＳＲＰ測定値に基づく）のいずれかが閾値を越えている場合に、それらの候補を専用信号（セットｑ１内のリソースのセット）を用いて示すことができるように特定の閾値を構成することができる。指定された信号は、例えば、ビーム障害回復（ＢＦＲ：beam failure recovery）用のＢＦＲリソース又はＣＦＲＡ（Contention Free Random Access（非競合ランダムアクセス））リソースと呼ぶことができるＰＲＡＣＨプール（又はＰＲＡＣＨプリアンブル信号リソースセット又は別個のプリアンブルリソース構成）からのものとすることができる。ビーム回復手順は、送信されたプリアンブルに対するｇＮＢ応答に関してランダムアクセス（ＲＡ：Random Access）手順と僅かに異なることに留意されたい。ＵＥは、専用信号を用いて示すことができる候補のセットから候補ビームを選択し、（ＲＳＲＰ等の信号品質に関して）構成された閾値を超える候補ビームがない場合には、ＵＥは、競合ベースのシグナリングを利用して新たな候補を示すことができる（ＣＢＲＡ（contention based random access（競合ベースのランダムアクセス））プリアンブルリソースが、特定のダウンリンクＲＳ、例えば、ＳＳ／ＰＢＣＨブロック／ＣＳＩ−ＲＳにマッピングされる）。上述した選択閾値は、ＲＳＲＰ閾値として構成することができる。ＲＳＲＱ、ＳＩＮＲ、ＢＬＥＲ等の他の閾値も用いることができる。
【００９４】
ＵＥは、ビーム回復応答ウィンドウ（ＲＡＲウィンドウと同様のもの）の間に、回復信号を送信するのに用いられたものと同じビームアライメントを用いて（すなわち、ＴＸに用いられたものと同じビーム方向／空間フィルター／アンテナパターンがＲＸに用いられる）、ＢＦＲＲ（又はＢＦＲＱ）に対するネットワーク応答を監視することができる。ＵＥは、ネットワークが、示されたダウンリンク基準信号と空間的にＱＣＬされたビームを用いて応答を提供すると予想することができる。
【００９５】
非競合シグナリングがビーム回復目的に用いられる場合には、ＵＥは、ＣＦＲＡ（contention free random access（非競合ランダムアクセス））手順が用いられるときに、ネットワークが、ＲＡ−ＲＮＴＩ（random access-RNTI（ランダムアクセス−ＲＮＴＩ））の代わりにＣ−ＲＮＴＩ（cell-RNTI（セル−ＲＮＴＩ））を用いて当該ＵＥに応答すると予想することができる。ＣＢＲＡリソースが用いられる場合には、ＵＥは、通常通り、ＲＡ手順における応答を予想する。
【００９６】
現在、ビーム障害回復（ＢＦＲ）又はリンク再構成手順は、プライマリーセル（Ｐｃｅｌｌ）とセカンダリーセル（Ｓｃｅｌｌ）との間で異ならず、サービングセルに適用することができる。これは、Ｓｃｅｌｌも対応するアップリンクキャリアを有する場合にも適用することができる。ＵＥが、競合ベースのＲＡＣＨ構成を有する対応するＵＬキャリアを有する場合には、現在のＢＦＲ／リンク再構成手順を直接適用することができる。Ｐｃｅｌｌ及びＳｃｅｌｌの存在は、キャリアアグリゲーションを用いて構成されたＵＥが存在するときに起こり得る。ＵＥは、２重接続又は多重接続を用いて接続することもでき、ＰＣｅｌｌは、セカンダリーノード（ＳＮ：secondary node）においてＰＳＣｅｌｌと呼ばれる場合がある。より一般的には、ＰＣｅｌｌ／ＰＳＣｅｌｌ又はＳＣｅｌｌは、サービングセルと呼ぶことができる。
【００９７】
図４は、第１の基地局４１８及び第２の基地局４２０に接続されたＵＥ４０４の一例を示している。例えば、基地局４１８は、ＭＮ（Master Node（マスターノード））を含むことができ、第２の基地局４２０は、ＳＮ（セカンダリーノード）を含むことができる。換言すれば、基地局４１８は、プライマリーセルの基地局を含むことができ、基地局４２０は、セカンダリーセルの基地局を含むことができる。ＵＥ４０４は、基地局４１８及び基地局４２０と２重接続することができる。ＵＥ４０４は、基地局４１８及び基地局４２０とキャリアアグリゲーションを実行している場合がある。基地局４１８及び基地局４２０は、２重接続又はキャリアアグリゲーションでＵＥ４０４をサービングする１つの基地局のみから構成することもできることが理解されるべきである。通信ビーム又はリンク４１９が、ＵＥ４０４と基地局４１８との間に概略的に示されている。通信ビーム又はリンク４２１が、ＵＥ４０４と基地局４２０との間に概略的に示されている。ビーム４１９及び／又はビーム４２１は、障害を有する場合もあるし、遮断される場合もあることが分かる。これは、例えば、干渉、突然の障害物等に起因する場合がある。本明細書に開示された幾つかの例は、ＵＥ４０４とセカンダリー基地局４２０との間のビーム４２１が障害を有するか又は遮断される状況を取り扱う。ＵＥのタイマーは、４０５に概略的に示されている。
【００９８】
図５Ａは、コンポーネントキャリアにわたるＢＦＤ−ＲＳの空間ＱＣＬが仮定される（ＣＳＩ−ＲＳ、ＳＳ／ＰＢＣＨブロック）シナリオを考慮したＢＦＤ−ＲＳ構成選択肢を示している。図５Ａに概略的に示されるように、ＤＬ／ＵＬを有するＰＣｅｌｌ（ＰＣｅｌｌはダウンリンク及びアップリンクの双方を有する）５３０と、ＤＬのみを有するＳｃｅｌｌ１（Ｓｃｅｌｌはアップリンクを有しない）（すなわち、第１のＳＣｅｌｌ）５３２と、ＤＬのみを有するＳｃｅｌｌ２（すなわち、第２のＳｃｅｌｌ）５３４とがある。ＣＳＩ−ＲＳシンボル５３６は、Ｐｃｅｌｌ  ＢＦＤ−ＲＳビーム５３０に対応し、ＣＳＩ−ＲＳシンボル５３８は、Ｓｃｅｌｌ１  ＢＦＤ−ＲＳビーム５３２に対応し、ＣＳＩ−ＲＳシンボル５４０は、Ｓｃｅｌｌ２  ＢＦＤ−ＲＳビーム５３４に対応する。
【００９９】
クロスキャリア空間ＱＣＬがＰＣｅｌｌ及びＳｃｅｌｌ（複数の場合もある）ＢＦＤ−ＲＳについて有効である図５Ａの例によれば、ビーム障害は、ＰＣｅｌｌのＢＦＤ−ＲＳリソース（ＣＳＩ−ＲＳ、ＳＳ／ＰＢＣＨブロック）において検出することができ、リンク品質を評価するのに用いられる基準信号の空間ＱＣＬ仮定に起因して、全てのＳＣｅｌｌ（複数の場合もある）がビーム障害状態にあることを暗黙的に意味する可能性がある。
【０１００】
他方、ＢＦＤ−ＲＳの空間ＱＣＬ仮定がキャリアにわたって有効でない場合には（図５Ｂ参照）、ＵＥは、ビーム障害を検出することができるとともに、各サービングセルの回復を個別に実行することができる必要がある。図５Ｂに概略的に示すように、ＰＣｅｌｌ  ＤＬ／ＵＬセル５４２があり、Ｓｃｅｌｌ１がＤＬセル５３２である。すなわち、図５Ａに示すようなＳｃｅｌｌ２は存在しない。ＣＳＩ−ＲＳシンボル５４６はＰｃｅｌｌ  ＢＦＤ−ＲＳビーム５４２に対応し、ＣＳＩ−ＲＳシンボル５４８はＳｃｅｌｌ１  ＢＦＤ−ＲＳビーム５４４に対応する。
【０１０１】
図５Ｂのシナリオは、例えば、ＰｃｅｌｌがＳｃｅｌｌと異なる周波数範囲に配置されているときに起こり得る。例えば、Ｐｃｅｌｌは、ＦＲ１（周波数範囲１、すなわち６ＧＨｚ未満）に配置される場合があり、ＳＣｅｌｌは、ＦＲ２（６ＧＨｚよりも大きい）にダウンリンクのみであるように構成される場合がある。或いは、ＰＣｅｌｌ及びＳｃｅｌｌの双方は、同じＦＲにおいて動作する場合があるが、ＰＤＣＣＨ  ＴＣＩ構成（セル固有である）に起因して、ＢＦＤ−ＲＳ検出リソースが異なる場合がある。すなわち、Ｐｃｅｌｌ及びＳＣｅｌｌの障害の間の対応関係が存在しない場合がある。後者は、特に、複数の送信／受信ポイント（ＴＲＰ：Transmission/Reception Points）を有するセルが配備される場合に起こり得る。
【０１０２】
一般性を失うことなく、図５Ａ及び図５Ｂは、ＳＣｅｌｌがダウンリンクのみを有するキャリアアグリゲーションの可能な構成のサブセットを示している。本開示は、そのような場合にのみ限定されるものではない。すなわち、ＳＣｅｌｌは、アップリンクも有する場合がある。ＰＣｅｌｌ及びＳＣｅｌｌは上記で論述したが、サービングセルのみを指し、例えば、ＰＣｅｌｌが障害を有し、ＳＣｅｌｌをＰＣｅｌｌの回復に用いることができるときに、ＳＣｅｌｌ障害及びＰＣｅｌｌ回復の場合と同様の方法で上記例を用いることができると仮定することが可能である。ＳＣｅｌｌは、アップリンクを有する場合もあるし、有しない場合もあり、アップリンクがＳＣｅｌｌ用に構成された場合には、このアップリンクは、ＰＣｅｌｌアップリンクと同様の方法で用いられる場合もあるし、用いられない場合もある。一例として、ＣＦＲＡ信号は、ＳＣｅｌｌアップリンク用に構成することができるが、構成されたＣＢＲＡリソースを有しない場合がある。すなわち、ビーム障害回復は、ＰＣｅｌｌと同様の方法で動作しない場合がある。この場合には、ＳＣｅｌｌは、そのそれぞれのアップリンク上でＣＦＲＡリソースを用いて候補を示すことができない場合には、ＰＣｅｌｌアップリンクを用いて障害／回復を示すことが必要となる場合があり、その場合には、ＭＡＣ  ＣＥ等の他のシグナリングメカニズムを用いることが必要となる場合がある。また、ＳＣｅｌｌ  ＣＦＲＡ信号がＰＣｅｌｌアップリンク上で構成される場合がある。
【０１０３】
本発明者らは、ＵＥがＳＣｅｌｌにおいてＢＦＲ手順をトリガーし、ＳＣｅｌｌ  ＢＦＲ  ＭＡＣ  ＣＥ又はＣＦＲＡ／ＣＢＲＡプリアンブル（複数の場合もある）をネットワーク（ＮＷ：network）にシグナリングしたときに、この手順はどのようにして終了されるのか、例えば、この手順はどのようにして管理されるのかが確立されていないという問題があることを確認した。本発明者らは、ＭＡＣ  ＣＥが、ＲＬＣ  ＡＲＱ（radio link control automatic repeat request（無線リンク制御自動再送要求））プロトコルによって保護もカバーもされず、物理／ＭＡＣレイヤにおけるＨＡＲＱ（Hybrid ARQ（ハイブリッドＡＲＱ））のみを用いて保護又はカバーされるので、ＭＡＣ  ＣＥがＮＷに到達するか否かをＵＥが確実に判断することができないことも確認した。
【０１０４】
幾つかの例によれば、ＵＥは、サービングセルの回復のためのビーム障害回復要求（ＢＦＲＲ：beam failure recovery request）メッセージを送信した後にタイマーを開始する。ＢＦＲＲは、ＭＡＣ  ＣＥに含めることができる。ＭＡＣ  ＣＥは、追加される少なくとも１つの候補ビームの情報、すなわち、障害を受けたビームに取って代わる候補ビームと呼ばれるものの情報も含むことができる。したがって、幾つかの例では、ＵＥによって送信される情報は、ＭＡＣ  ＣＥ内に示された少なくとも１つの候補ビームを有するＳｃｅｌｌ  ＢＦＲＲ  ＭＡＣ  ＣＥを含むことができる。
【０１０５】
１つの例によれば、タイマーが動作しているとき、ＵＥは候補ビーム情報をネットワークに送信する。候補ビーム情報は、ネットワークに周期的に送信することができる。タイマーが満了する前に、ＵＥがビーム障害回復肯定応答及び／又は新たなビーム情報をネットワークから受信していないとＵＥによって判断された場合には、ＵＥは、ビーム障害に関連したセルを作動停止する。例えば、タイマーが満了する前に、ＵＥが、Ｓｃｅｌｌの新たなＢＦＤ−ＲＳ及び／又はＰＤＣＣＨ  ＴＣＩ状態構成を受信しない場合には、ＵＥは、Ｓｃｅｌｌを作動停止することができる。作動停止に起因して、ＵＥは、ＳＣｅｌｌ  ＰＤＣＣＨの監視を停止することができ、現在指定されているようにアップリンク送信（制御／データ）を開始しない。幾つかの例では、セルの「作動停止」は、セルへの接続が切断されるが、構成は必ずしも喪失されないことを意味することができる。
【０１０６】
別の例によれば、タイマーが満了する前に、ＵＥがビーム障害回復要求肯定応答及び／又は新たなビーム情報をネットワークから受信していないとＵＥによって判断された場合には、ＵＥは、候補ビーム情報（例えば、ＭＡＣ  ＣＥ内に示された少なくとも１つの候補ビームを有するＭＡＣ  ＣＥ）をネットワークに再送信する。例えば、タイマーが満了する前に、ＵＥがＳＣｅｌｌの新たなＢＦＤ−ＲＳ及び／又はＰＤＣＣＨ  ＴＣＩ状態構成を受信していない場合には、ＵＥは、更新された候補情報を有するＳＣｅｌｌ  ＢＦＲＲ  ＭＡＣ  ＣＥを再送信する。すなわち、幾つかの例では、再送信されたＭＡＣ  ＣＥにおける候補ビーム情報は、最初に（又は以前に）送信されたＭＡＣ  ＣＥと比較して異なる場合がある。すなわち、幾つかの例では、ＵＥは、タイマーが動作している間に、更新された候補ビーム情報をネットワークに送信することができる。幾つかの例では、候補情報が変化したとＵＥによって判断された場合には、ＵＥは、タイマーが動作している状態においてＳｃｅｌｌ  ＢＦＲＲ  ＭＡＣ  ＣＥを示すことができると考えることができる。１つの例では、ＵＥが、報告（例えば、ＭＡＣ  ＣＥ）に複数の候補を含めていた場合には、全ての候補又は（Ｎ−ｘ）個の候補が変化した場合にのみ、更新された候補情報がネットワークに送信される。ここで、Ｎは、示された候補の数であり、ｘは、構成された数又は所定の数である。したがって、（Ｎ−ｘ）は、幾つかの例では閾値と考えることができる。別の例では、報告された最も高いＲＳＲＰ値が、新たな測定値に基づいて値Ｙ（すなわち、対数スケールにおけるデシベル又は線形スケールにおけるワットとして表すことができる閾値量）だけ変化した場合に、ＵＥは、ネットワーク構成に従って新たなＭＡＣ  ＣＥをトリガーして報告を行う。Ｙは、幾つかの例では、構成可能とすることができる。
【０１０７】
幾つかの例によれば、ＵＥが、障害を受けたＳＣｅｌｌの新たなＢＦＤ−ＲＳ及び／又はＰＤＣＣＨ  ＴＣＩ状態構成を受信すると、タイマー及び候補の報告が停止される。別の例では、ネットワークは、ビーム障害のＵＥ表示に対する応答として明示的なシグナリング（新たな候補又は無候補のいずれかを有する）によってＳＣｅｌｌを作動停止する。ＵＥは、これをＳＣｅｌｌ  ＢＦＲの完了成功と判断することができる。
【０１０８】
幾つかの例によれば、ＵＥは、障害を受けたビームに取って代わるのに利用可能な候補ビームがない状況を取り扱うようにも構成される。これが行われるとき、ＵＥは、ネットワークに「無候補」を示すことができる。例えば、この表示は、ＭＡＣ  ＣＥにおいて提供することができる。ＭＡＣ  ＣＥの送信（又はＭＡＣ  ＣＥの送信に成功したとの判断）によって、タイマーを再び開始することができる。そのような例では、タイマーが動作している間、ＵＥは、Ｓｃｅｌｌにおいて新たな候補を見つけることを試みる。新たな候補がＵＥによって見つけられた場合には、タイマーはキャンセル又はリセットされ、ＭＡＣ  ＣＥは、新たな候補ビーム情報とともに再送信することができる（その結果、タイマーを再び始動させることができる）。幾つかの例では、Ｓｃｅｌｌの新たな候補ビームは、Ｓｃｅｌｌにおける新たなＣＳＩ−ＲＳ／ＳＳブロックのＲＲＣレベル再構成及びＳｃｅｌｌにおける測定値によって見つけることができる。幾つかの例では、これは、Ｌ１が新たな測定値を提供し、候補ビームを示す前には、ＭＡＣレイヤには見えない場合がある。或いは、幾つかの例では、新たなＰＤＣＣＨ−ＴＣＩ状態がＭＡＣ  ＣＥによって構成及び／又は作動されると、タイマーをキャンセルすることができる。タイマーが満了すると、Ｓｃｅｌｌを作動停止することができる。幾つかの例では、ネットワークによる明示的なＳｃｅｌｌの作動停止も、タイマー（タイマーＴ１と呼ぶことができる）をキャンセルする。
【０１０９】
１つの例によれば、ネットワーク（ｇＮＢ）が、障害を受けたＳＣｅｌｌを作動停止するとき、ＵＥは、ビーム障害回復手順が完了したと判断する。ＵＥは、ＳＣｅｌｌ  ＢＦＲ  ＭＡＣ  ＣＥを送信する手順又はＣＦＲＡ／ＣＢＲＡプリアンブルを送信する任意のランダムアクセス手順を停止する。
【０１１０】
幾つかの例によれば、ビーム障害回復手順が開始されたときのセル作動停止タイマーのハンドリングが考慮される。セル作動停止タイマーは、ｓＣｅｌｌＤｅａｃｔｉｖａｔｉｏｎＴｉｍｅｒと呼ばれる場合がある。ｓＣｅｌｌＤｅａｃｔｉｖａｔｉｏｎＴｉｍｅｒは、ＵＥにおいてＳＣｅｌｌの作動状態を制御するＭＡＣ仕様における現時点のタイマーである。ｓＣｅｌｌＤｅａｃｔｉｖａｔｉｏｎＴｉｍｅｒが満了した場合には、ＳＣｅｌｌは作動停止される。その結果、幾つかの例では、共存する２つ（又は３つ以上）のタイマーが存在し得る。第１のタイマー（Ｔ１）は、上述したように、ネットワークへのビーム障害報告の送信に応答して始動されるタイマーとすることができる。幾つかの例では、第２のタイマー（Ｔ２）がｓＣｅｌｌＤｅａｃｔｉｖａｔｉｏｎＴｉｍｅｒである。１つの例示の選択肢では、ｓＣｅｌｌＤｅａｃｔｉｖａｔｉｏｎＴｉｍｅｒの満了は、ＢＦＲ手順をキャンセル／停止する。１つの例では、これは、タイマーＴ１の代替の実施態様として考慮することができる。別の例示の選択肢では、ｓＣｅｌｌＤｅａｃｔｉｖａｔｉｏｎＴｉｍｅｒタイマーは、ＵＥがＢＦＲＲ（プリアンブル又はＭＡＣ  ＣＥ）を送信するときに停止される（一時停止又はリセットを含むことができる）。これは、幾つかの例では、ＮＷがＵＥのスケジューリングを試みた場合であっても、ＵＥは障害を受けたサービングセルにおいてそのスケジューリングコマンドを復号化することができない場合があるので、ｓＣｅｌｌＤｅａｃｔｉｖａｔｉｏｎＴｉｍｅｒがＵＥにおいて再始動しないからである。幾つかの例では、ｓＣｅｌｌＤｅａｃｔｉｖａｔｉｏｎＴｉｍｅｒは、ビーム障害回復の完了に成功した後にのみ再始動することができる。或いは、ｓＣｅｌｌＤｅａｃｔｉｖａｔｉｏｎＴｉｍｅｒは、障害を受けたサービングセルにおけるＰＤＣＣＨがスケジューリングコマンド（すなわち、アップリンク許可又はダウンリンク割り当て）を示した場合のみ再始動される。
【０１１１】
図６は、一例による方法を示すフローチャートである。もちろん、他の例では、この方法は異なり得ることが理解されるであろう。
【０１１２】
Ｓ１において、ＵＥが、通信ビーム障害があると判断する。ビーム障害は、前述した手段によって、例えば、ＢＦＤ−ＲＳが障害状態にあるとみなされたときを判断することによって、判断／検出することができる。例えば、障害は、ＵＥとセカンダリー基地局との間の通信ビームの障害である場合があり、この場合、ＵＥは、プライマリー基地局及びセカンダリー基地局と通信していたことになる（例えば、キャリアアグリゲーションを実行していた）。
【０１１３】
Ｓ２において、ＵＥは、通信ビーム障害を示すメッセージをネットワークノードに送信する。例えば、このメッセージは、アップリンクを用いてサービングセルに送信することができる。
【０１１４】
Ｓ３において、ＵＥはタイマーを始動する。幾つかの例では、タイマーは、通信ビーム障害を示すメッセージをネットワークに送信するのと同時に又はほぼ同時に始動される。
【０１１５】
Ｓ４において、ＵＥは、障害を受けた通信ビームに取って代わる候補通信ビームの情報をネットワークノードに送信する。幾つかの例では、Ｓ４は、Ｓ２に含めることができる。すなわち、ＵＥは、通信ビーム障害を示す情報及び候補通信ビームの情報をともに送信することができる。
【０１１６】
Ｓ５において、肯定応答がネットワークノードから受信されたか否かの判断がＵＥによって行われる。これは、Ｓ２において送信された情報又はＳ４において送信された情報の肯定応答とすることができる。
【０１１７】
肯定応答が受信されない場合には、方法はＳ６に進み、Ｓ６において、タイマーが満了したか否かが判断される。
【０１１８】
タイマーが満了した場合（すなわち、タイマーが満了し、肯定応答がない場合、すなわち、新たなＴＣＩ状態又は作動停止状態の場合）には、方法はＳ７に進み、Ｓ７において、ＵＥはセルを作動停止する。例えば、ＵＥは、ビーム障害に関連したセカンダリー基地局との接続を作動停止する。
【０１１９】
タイマーが満了していない場合には、方法はＳ２及び／又はＳ４にループバックすることができる。
【０１２０】
Ｓ５において、肯定応答がネットワークノードからＵＥにおいて受信されたと判断された場合には、方法はＳ８に進むことができ、Ｓ８において、ＵＥは、候補通信ビームの１つ以上を用いて新たな接続を開始することができる。候補通信ビームの１つ以上は、ＵＥと通信ビーム障害に関連した基地局との間のものとすることもできるし、ＵＥと新たな基地局との間のものとすることもできる。
【０１２１】
図７は、一例による方法のフローチャートである。図７の方法は、装置、例えば、ユーザー機器の視点から見たものである。
【０１２２】
Ｓ１において、方法は、装置と第２の装置との間の１つ以上の通信ビームの障害の判断に応答して、メッセージを第３の装置に送信することによってビーム回復手順を開始することを含む。このメッセージは、１つ以上の通信ビームの障害の情報を含む。
【０１２３】
Ｓ２において、方法は、メッセージを第３の装置に送信することに応答してタイマーを始動することを含む。
【０１２４】
Ｓ３において、方法は、タイマーが満了する前に、ビーム障害肯定応答が第３の装置から受信されたか否かを判断することを含む。
【０１２５】
図８は、一例による方法のフローチャートである。図８の方法は、装置、例えば、ネットワークノードの視点から見たものである。
【０１２６】
Ｓ１において、方法は、ユーザー機器と基地局との間の１つ以上の通信ビームの通信ビーム障害の情報をユーザー機器から受信することを含む。
【０１２７】
Ｓ２において、方法は、通信ビーム障害の情報の受信の肯定応答をユーザー機器に送信することを含む。
【０１２８】
幾つかの例によれば、新たに規定されたタイマーは、ＭＡＣ  ＣＥが無線において喪失された場合に、ＵＥがＭＡＣ  ＣＥを再送信する動作を取ることを確保することができる。或いは、ＵＥは、例えば、ネットワークが再構成すること又は他の動作を取ることに忙しい場合には、更なるビーム障害報告手順をトリガーしないように、障害を受けたＳＣｅｌｌ（複数の場合もある）自体を作動停止することができる。
【０１２９】
タイマーによって、ＵＥの時間ウィンドウは、ビーム障害を示した直後に新たな候補ビームを見つけることが可能になる。したがって、障害を経験し、その後、追加の測定を行って新たな候補を見つける代わりに、ＵＥは障害を迅速に示すことができる。幾つかの例では、新たな候補なしでビーム障害を示すことによって、幾つかの場合には、ネットワークは、障害を示した後にＳＣｅｌｌにおいて候補ビーム検出の新たなＣＳＩ−ＲＳを構成することが可能になる。
【０１３０】
幾つかの例では、ネットワークは、ＳＣｅｌｌにおけるＵＥビーム障害の知識を有しない場合があり、したがって、ＵＥが候補の探索を続けることができる間、ＵＥビーム障害を迅速に報告することが有益である。そのような例では、ＵＥが候補探索を実行する間、ネットワークは、ＳＣｅｌｌにおいてあらゆるデータ送信を一時停止することができる。これによって、シグナリングオーバーヘッドを削減することができ、無線リソースを節減することができる。
【０１３１】
一般に、様々な実施形態は、ハードウェア若しくは専用回路、ソフトウェア、ロジック又はそれらの任意の組み合わせで実施することができる。本発明の幾つかの態様は、ハードウェアで実施することができる一方、他の態様は、コントローラー、マイクロプロセッサ又は他の計算デバイスによって実行することができるファームウェア又はソフトウェアで実施することができる。ただし、本発明はそれらに限定されるものではない。本発明の様々な態様は、ブロック図、フローチャートとして、又は幾つかの他の図的表現を用いて図示及び説明することができるが、本明細書において説明したこれらのブロック、装置、システム、技法又は方法は、非限定的な例として、ハードウェア、ソフトウェア、ファームウェア、専用回路若しくはロジック、汎用ハードウェア若しくはコントローラー若しくは他の計算デバイス、又はそれらの或る組み合わせで実施することができる。
【０１３２】
本発明の実施形態は、プロセッサエンティティ等におけるモバイルデバイスのデータプロセッサによって実行可能なコンピューターソフトウェアによって、若しくはハードウェアによって、又はソフトウェア及びハードウェアの組み合わせによって実施することができる。ソフトウェアルーチン、アプレット及び／又はマクロを含むプログラム製品とも呼ばれるコンピューターソフトウェア又はプログラムは、任意の装置可読データ記憶媒体に記憶することができ、それらは、特定のタスクを実行するプログラム命令を含む。コンピュータープログラム製品は、プログラムが実行されると、実施形態を実行するように構成される１つ以上のコンピューター実行可能な構成要素を含むことができる。１つ以上のコンピューター実行可能構成要素は、少なくとも１つのソフトウェアコード又はその幾つかの部分とすることができる。
【０１３３】
さらに、この点に関して、図にあるような論理フローのいずれのブロックも、プログラムステップ、若しくは相互接続された論理回路、論理ブロック及び論理機能、又はプログラムステップと論理回路、論理ブロック及び論理機能との組み合わせを表すことができることに留意されたい。ソフトウェアは、メモリチップ等の物理媒体、又はプロセッサ内に実装されるメモリブロック、ハードディスク又はフロッピーディスク等の磁気媒体、及び、例えば、ＤＶＤ及びそのデータ変形体、ＣＤ等の光媒体に記憶することができる。物理媒体は非一時的媒体である。
【０１３４】
メモリは、ローカルな技術環境に適した任意のタイプのものとすることができ、半導体ベースのメモリデバイス、磁気メモリデバイス及びシステム、光メモリデバイス及びシステム、固定メモリ並びにリムーバブルメモリ等の任意の適したデータ記憶技術を用いて実施することができる。データプロセッサは、ローカルな技術環境に適した任意のタイプのものとすることができ、非限定的な例として、汎用コンピューター、専用コンピューター、マイクロプロセッサ、デジタル信号プロセッサ（ＤＳＰ：digital signal processors）、特定用途向け集積回路（ＡＳＩＣ：application specific integrated circuits）、ＦＰＧＡ、ゲートレベル回路、及びマルチコアプロセッサアーキテクチャに基づくプロセッサのうちの１つ以上を含むことができる。
【０１３５】
本発明の実施形態は、集積回路モジュール等の様々な構成要素に実施することができる。集積回路の設計は、全般的に見て高度に自動化されたプロセスである。論理レベル設計を、半導体基板上にいつでもエッチング及び形成されるようになっている半導体回路設計に変換する複雑で強力なソフトウェアツールが利用可能である。
【０１３６】
上記説明は、本発明の例示の実施形態の情報を与える完全な説明を非限定的な例として提供したものである。しかしながら、上記説明を添付図面及び添付の特許請求の範囲と併せて読むと、上記説明に鑑み様々な変更形態及び適合形態が当業者に明らかになり得る。一方、本発明の教示のそのような全て変更形態及び類似の変更形態は、添付の特許請求の範囲において画定される本発明の範囲内に依然として含まれる。実際、１つ以上の実施形態と前述した他の任意の実施形態のうちの任意のものとの組み合わせを含む更なる実施形態が存在する。
【図１】
2021519558.tif 000003
【図２】
2021519558.tif 000004
【図３】
2021519558.tif 000005
【図４】
2021519558.tif 000006
【図５Ａ】
2021519558.tif 000007
【図５Ｂ】
2021519558.tif 000008
【図６】
2021519558.tif 000009
【図７】
2021519558.tif 000010
【図８】
2021519558.tif 000011
【国際調査報告】
2021519558.tif 000012
2021519558.tif 000013